(57)【要約】      （修正有）【課題】Ｔシャツに年表示と特定のメッセージを同時に表示することにより、両者を関連づけて相乗効果を高め、メッセージを顕在化させて付加価値を付与することにより、各種記念品や贈答用，お土産として好適なＴシャツを提供する。【解決手段】特定の年表示３と特定のメッセージ４を表示してなるＴシャツを基本として提供する。そして、特定の年表示３と特定のメッセージ４をＴシャツの前面２，背面又は袖から選択された一又は複数の箇所に表示してなる構成とし、メッセージとして「ありがとう」の文言を表示する。また、年表示に代えて、年度表示とし、更に年表示に代えて、年月表示，年月日表示又は期間表示のいずれかを表示する。【選択図】図１
0003149155.tif 000002
【実用新案登録請求の範囲】
【請求項１】
特定の年表示と特定のメッセージを表示してなるＴシャツ。
【請求項２】
特定の年表示と特定のメッセージをＴシャツの前面，背面又は袖から選択された一又は複数の箇所に表示してなるＴシャツ。
【請求項３】
メッセージとして「ありがとう」の文言を表示した請求項１又は２記載のＴシャツ。
【請求項４】
年表示に代えて、年度表示とした請求項１，２又は３記載のＴシャツ。
【請求項５】
年表示に代えて、年月表示，年月日表示又は期間表示のいずれかを表示した請求項１，２又は３記載のＴシャツ。
【考案の詳細な説明】
【技術分野】
【０００１】
本考案はＴシャツに関し、特にはＴシャツに年表示と特定のメッセージを同時に表示することにより、両者を関連づけて相乗効果を高め、メッセージを顕在化させて付加価値を付与することにより、各種記念品や贈答用，お土産として好適なＴシャツに関する。
【背景技術】
【０００２】
Ｔシャツは、襟の付いていない半袖丸首で、両袖を左右に広げた時にＴの文字に見えるシャツである。年齢，性別を問わず広く普及しており、インナーからアウターまで多用途に着こなされ、定番のファッションアイテムとなっている。また、Ｔシャツはシンプルな構成であり、前面や背面にプリントが容易であるため、ブランド名，企業名，イベント名，地域名称，文言，図案，キャッチフレーズ，メッセージ，キャラクター等を表示して各種記念品，ノベルティ，販売促進や宣伝広告等としても多用されている。
【０００３】
さらに、Ｔシャツの表示として種々のものが提供されており、スポーツ紙の一面を飾る写真入りの記事をプリントしたＴシャツ（特許文献１）や、Ｔシャツに表示した文字を立体的に浮かび上がらせたり（特許文献２）、魚拓によるＴシャツ（特許文献３）等も提供されている。
【特許文献１】実用新案登録第３０９７４８１号公報
【特許文献２】実用新案登録第３０７３００６号公報
【特許文献３】実用新案登録第３０１８２８６号公報
【考案の開示】
【考案が解決しようとする課題】
【０００４】
しかしながら、従来の販売促進や宣伝広告のためのＴシャツは専らブランド名やキャラクター表示に留まり、又特定のメッセージを表したいわゆるＴシャツも特定の年表示と組み合わせて表示したものは提供されていない。中でも、社会生活を営む基本の言葉である「ありがとう」の表示と特定の年表示を組み合わせて表示したＴシャツは全く提供されていない。
【０００５】
特許文献１にかかるＴシャツはスポーツ新聞の記事をそのまま転写する構成であり、メッセージの表示ではなく、特許文献２にかかるＴシャツは文字は表示されているが、年表示は表示されていない。更に特許文献３にかかるＴシャツも魚拓を表示するものであって、特定のメッセージを表示するものではない。
【０００６】
そこで、本考案は、Ｔシャツに年表示と特定のメッセージを同時に表示することにより、両者を関連づけて相乗効果を高め、メッセージを顕在化させて付加価値を付与することにより、各種記念品や贈答用，お土産として好適なＴシャツを提供する。
【課題を解決するための手段】
【０００７】
本考案は上記目的を達成するために、特定の年表示と特定のメッセージを表示してなるＴシャツを基本として提供する。そして、特定の年表示と特定のメッセージをＴシャツの前面，背面又は袖から選択された一又は複数の箇所に表示してなる構成とし、メッセージとして「ありがとう」の文言を表示する。また、年表示に代えて、年度表示とし、更に年表示に代えて、年月表示，年月日表示又は期間表示のいずれかを表示する。
【考案の効果】
【０００８】
上記構成の本考案によれば、Ｔシャツに表示された特定の表示を、特定の年表示として関連づけて表示することができ、Ｔシャツの付加価値を高めることができる。特に「ありがとう」の表示を、年表示と共に表示することによって、「ありがとう」の文字に込める個々の思いを個性化することができる。
【考案を実施するための最良の形態】
【０００９】
以下図面に基づいて本考案にかかるＴシャツの最良の実施形態を説明する。図１は本考案にかかるＴシャツの第１実施形態を示す正面図である。図において１はＴシャツであり、襟の付いていない半袖丸首で、両袖を左右に広げた時にＴの文字に見えるシャツである。２はＴシャツ１の前面であり、胸部分に西暦２００８年を表す「２００８」の数字からなる特定の年表示３と、平仮名横書きの「ありがとう」の文字からなる特定のメッセージ４とが表示されている。この第１実施形態ではＴシャツ１の背面には格段の表示をしていない。図３は特定の年表示３と特定のメッセージ４の拡大図である。
【００１０】
図２は本考案にかかるＴシャツの第２実施形態を示す背面図である。図において５は実施形態１と同様のＴシャツであり、６はＴシャツ５の背面であり、上部中央に西暦２００８年を表す「２００８」の数字からなる特定の年表示３と、平仮名縦書きの「ありがとう」の文字からなる特定のメッセージ４とが表示されている。この第２実施形態ではＴシャツ１の前面には格段の表示をしていない。
【００１１】
特定の年表示３や特定のメッセージ４の表示方法は転写，印刷，プリント，刺繍その他の公知の手段を採用すればよい。あるいは、特定の年表示３と特定のメッセージ４の表示欄をＴシャツ１の前面に画成しておき、購入者や使用者が手書きするようにしてもよい。特定の年表示３は西暦表示に限らず、和暦、或いは西暦と和暦との双方を表示するようにしてもよい。また、特定の年表示３に代えて、特定の年度表示としたり、年月表示，年月日表示又は期間表示としてもよい。なお、特定の年表示３と特定のメッセージ４は一体として、一覧できるように表示することが好ましい。
【００１２】
また、特定のメッセージ４としては、社会生活を営む上で基本となる他者への感謝の言葉である「ありがとう」を表示することが適当である。なお、「ありがとう」の文字は漢字、或いは英語その他の言語で感謝を表す文字を表示してもよい。さらに、特定のメッセージ４は「ありがとう」の文字に限らず、他の意味を表す任意の文言であってもよい。また、特定のメッセージ４を表示する場所はＴシャツ１，５の前面，背面に限らず袖口その他の場所であってもよく、これらの複数の箇所に表示するものであってもよい。
【００１３】
上記構成のＴシャツ１，５を所有，着用すれば、特定の年表示３である「２００８」の表示と、特定のメッセージ４である「ありがとう」の文言が融合し、例えば年初であれば、「今年１年の生活に思い馳せ今年は頑張ろう」との思いを祈念する象徴として使用することができ、年の終わりにあたっては過ぎゆく１年を感謝する象徴とすることができる。また、記念の年や人生のメモリアルになる結婚，出産，入学，卒業，就職等々の出来事が行われる年であれば、事前にはこれらの成功を祈念する象徴として、又出来事終了後にはこれらの思い出の象徴とすることができる。また、毎年巡ってくる誕生日，結婚記念日，父の日，母の日等々の記念日においても、特定の年の記念日を象徴することができる。即ち、単に特定のメッセージ４を表示するのではなく、特定の年表示３と双方を表示することによって、特定のメッセージ４に係わる出来事を具体的に想起することが可能となり、Ｔシャツ１，５に付加価値を付与することができる。
【００１４】
例えば、母の日の記念として、母親にプレゼントすれば、母親に対する感謝を２００８年のありがとうとして贈ることができ、年数を経ても、２００８年の出来事を容易に想起することができる。また、年数を繰り返すことにより、固有の年のありがとうを積み重ねることができる。また、旅行の土産品として購入すれば、旅行の思い出を２００８年の思い出とすることができる。よって、いわば年ごとのイヤーＴシャツとして特定の表示を伝えることができる。
【産業上の利用可能性】
【００１５】
以上詳細に説明したように、本考案によれば、Ｔシャツに表示された特定の表示を、特定の年表示として関連づけて表示することができ、Ｔシャツの付加価値を高めることができる。特に「ありがとう」の表示を、年表示と共に表示することによって、「ありがとう」の文字に込める個々の思いを個性化することができる。また、特定の年表示と特定のメッセージを関連づけることによりメッセージを顕在化させて相乗効果を高めることができるため、本考案にかかるＴシャツは各種記念品や贈答用，お土産として好適である。
【図面の簡単な説明】
【００１６】
【図１】本考案にかかるＴシャツの第１実施形態を示す正面図。
【図２】本考案にかかるＴシャツの第２実施形態を示す背面図。
【図３】特定の年表示と特定のメッセージの拡大図。
【符号の説明】
【００１７】
１，５…Ｔシャツ
２…前面
３…特定の年表示
４…特定のメッセージ
６…背面
【図１】
0003149155.tif 000003
【図２】
0003149155.tif 000004
【図３】
0003149155.tif 000005